(57)【要約】      （修正有）【課題】  複合装置はユーザによる複雑なジョブ設定が可能になってきているが設定に時間がかかったり、ユーザが設定したモードが、ある一定時間保持されるため、次のユーザがそのまま操作を行ってしまうと所望していない設定で動作して、ミスコピーが発生するなど非効率な事態もあり得、複合機の条件設定を簡便に間違うことなく行えることが望まれている。【解決手段】  所定の識別マークが記述された条件設定シートと原稿を原稿送り装置に置き、画像読取装置で条件設定シート上に記述された動作条件を読み込むことで複合機の動作条件が設定される。【選択図】  図１
2006165633.tif 000002
【特許請求の範囲】
【請求項１】
複数の画像信号入力手段と、複数の画像信号出力手段を有し、画像信号入力手段のひとつが、紙、またはシート等に記録された画像を読み取るための画像読取装置であり、画像読取装置に画像が記録された紙、またはシート状の原稿を自動的に送るための原稿送り装置を有する複合機において、特定の識別マークが記述された紙、またはシート状の条件設定シートに複合機の動作条件を記述し、上記条件設定シートと原稿を原稿送り装置を用いて,画像読取装置におくり、条件設定シート上に記述された動作条件を読み込むことで動作条件が設定されることを特徴とする画像処理装置。
【請求項２】
上記条件設定シート上に記述された動作条件を読み込む方法がマークシート方式であることを特徴とする、請求項１記載の画像処理装置。
【請求項３】
上記条件設定シート上に記述された動作条件を読み込む方法がＯＣＲ方式であることを特徴とする、請求項１記載の画像処理装置。
【請求項４】
複数の画像信号出力手段のうちのひとつが電子写真方式によるものであることを特徴とする、請求項１記載の画像処理装置。
【請求項５】
複数の画像信号出力手段のうちのひとつがネットワークを介して画像を送出する方法であることを特徴とする、請求項１記載の画像処理装置。
【発明の詳細な説明】
【技術分野】
【０００１】
本発明は、複写機、プリンタ、ファクシミリ等を複合した画像処理装置に関する。
【背景技術】
【０００２】
近年、複写機、スキャナ、ファクシミリ、プリンタ、等のオフィス機器では、それぞれ単体専用機として、多機能化、高速化、低価格化等が進む一方で、これらの機能を１つにまとめた複合装置が一般的になりつつある。また複写機単体としてもジョブ内容が充実しており、画像の回転処理、枠消し、２ｉｎ１出力、４ｉｎ１出力、「マル秘」「重要」などのオーバーレイ、合紙モードなどができることはあたりまえである。
【０００３】
その他スキャナの機能としては、ネットワーク回線を介して指定したパソコンに画像を送ることもできる。ファクシミリやプリンタは従来と同じように用いることも可能であるし、当然ファクシミリやプリンタ出力に対しても上述した処理はできる。このように近年の複合装置はユーザによる複雑なジョブ設定が可能になってきている。
【０００４】
又、別の従来例としては、例えば特許文献１と特許文献２をあげることが出来る。
【特許文献１】特開2001-301285号公報
【特許文献２】特開2003-125173号公報
【発明の開示】
【発明が解決しようとする課題】
【０００５】
ところが上述したジョブ設定を行うにはかなり熟練した人間であっても時間がかかり、設定を行っている間は他のユーザがこの複合装置を使えないので迷惑を掛けてしまう。さらに、ユーザが設定したモードが、ある一定時間保持されるため、次のユーザがそのまま操作を行ってしまうと所望していない設定で動作してしまい、ミスコピーが発生する。さらに複合機なので、ファクシミリの受信中や前のユーザが使用中にはその設定ができなかった。また使用中であることを確認したユーザが出直してあとでもう一度きても、別のユーザが新たな印字を行っていたり、新たなファクシミリ受信のために際限なく待たされるという事態もあり得る。このように最悪なことにならないように複合機の使用効率を上げることが望まれている。
【課題を解決するための手段】
【０００６】
上記問題点を解決するために、本件第一の発明は、複数の画像信号入力手段と、複数の画像信号出力手段を有し、画像信号入力手段のひとつが、紙、またはシート等に記録された画像を読み取るための画像読取装置であり、画像読取装置に画像が記録された紙、またはシート状の原稿を自動的に送るための原稿送り装置を有する複合機において、特定の識別マークが記述された紙、またはシート状の条件設定シートに複合機の動作条件を記述し、上記条件設定シートと原稿を原稿送り装置を用いて,画像読取装置におくり、条件設定シート上に記述された動作条件を読み込むことで動作条件が設定されることを特徴とする画像処理装置を用いる。
【０００７】
上記条件設定シートには、条件設定シートが原稿でないことを識別するための識別マークが必要となる。この識別マークがあることにより、上記条件設定シートを画像読取装置が読み込んでも、コピーしたり、Ｆａｘ送信したりするミスを防止できる。
【０００８】
上記画像読取装置が、識別マークを読み取った場合は、このシートを条件設定シートと認識し、条件設定シートに記録された条件を読み込む。
【０００９】
上記条件設定シートへの動作条件の記録方法としては、マークシート方式やＯＣＲ方式を用いることができる。
【００１０】
また、条件設定シートと原稿のセットを複数、原稿送り装置にセットすれば、複数のジョブを条件を変えて連続して行うことも可能となる。
【発明の効果】
【００１１】
以上、説明したように、本発明の条件設定シートを用いることにより、複合機の複雑な設定を、複合機を占有することなく行うことができる。さらに、条件設定シートと原稿の組を複数置くことによって、複数のジョブを連続して行うことができる。
【発明を実施するための最良の形態】
【００１２】
以下、図面を参照して本件発明をさらに詳細に説明する。
【実施例１】
【００１３】
図１は、本件発明に用いられる条件設定シートの一例である。本実施例の場合は、マークシート方式を用いている。
【００１４】
1は識別マークで、この識別マークを読み込むと、このシートを条件設定シートと認識し、このシートは原稿としては扱わない。
【００１５】
コピーを行いたいときは、図1のコピーの脇のマークを塗りつぶし、ファックス送信を行いたいときは、図1のファックスの脇のマークを塗りつぶす。
【００１６】
コピー部数やファックス送信先を指定する場合は図1に示すように、十の位と、一の位をそれぞれ塗りつぶす（15の場合は、十の位の１と、一の位の５）ことによって指定できる。
【００１７】
その他の設定項目もここでは図示しないが同様の方法で設定できる。
【００１８】
このようにして作成した条件設定シートと原稿を重ねて原稿送り装置に積置し、コピーボタン等を押すことによって、画像読取装置に送り、条件設定シートから設定条件を読み込んで、その条件に従ってコピーやファックス等の動作を行う。
【実施例２】
【００１９】
図2は、本件発明に用いられる条件設定シートの一例である。本実施例の場合は、ＯＣＲ方式を用いている。
【００２０】
1は識別マークで、この識別マークを読み込むと、このシートを条件設定シートと認識し、このシートは原稿としては扱わない。
【００２１】
コピーを行いたいときは、1を、ファック送信したいときは２を、センド（画像読取装置で読み込んだ画像ＪＰＥＧやＰＤＦ等の形式に変換しネットワークを介して送信すること）をしたいときは３を、それぞれ横の四角の中に書き込む。
【００２２】
コピー部数やファックス送信先、センド送信先等も同様に、横の四角の中に書き込む。
【００２３】
その他の設定項目もここでは図示しないが同様に方法で設定できる。
【００２４】
このようにして作成した条件設定シートと原稿を重ねて原稿送り装置に積置し、コピーボタン等を押すことによって、画像読取装置に送り、条件設定シートから設定条件を読み込んで、その条件に従ってコピーやファックス等の動作を行う。
【図面の簡単な説明】
【００２５】
【図１】本発明で用いられる条件設定シートの一例で、マークシート方式を用いた場合。
【図２】本発明で用いられる条件設定シートの一例で、ＯＣＲ方式を用いた場合。
【符号の説明】
【００２６】
１  識別マーク
【図１】
2006165633.tif 000003
【図２】
2006165633.tif 000004